(57)【要約】【課題】多大な空間からなる工場などの一部の空気を局部的に温度の調整を行うことができる空調機を提供すること。【解決手段】本発明では、一対の熱交換器（２，３）を熱媒体循環パイプ（４）で接続した空調機（１）において、基台（５）に、一方の熱交換器（２）を収容した一定量の空気を貯留する空調室（６）と、他方の熱交換器（３）を載置した載置台（７）とを設けて移動可能とするとともに、空調室（６）に吸気口（１４）と排気口（１５）とを設けることにした。また、本発明では、前記吸気口（１４）にフィルター（１６）を着脱自在に設けることにした。さらに、本発明では、前記排気口（１５）に排気ファン（１８）を設けることにした。【選択図】図１
2019219092.tif 000002
【特許請求の範囲】
【請求項１】
一対の熱交換器を熱媒体循環パイプで接続した空調機において、
基台に、一方の熱交換器を収容した一定量の空気を貯留する空調室と、他方の熱交換器を載置した載置台とを設けて移動可能とするとともに、空調室に吸気口と排気口とを設けたことを特徴とする空調機。
【請求項２】
前記吸気口にフィルターを着脱自在に設けたことを特徴とする請求項１に記載の空調機。
【請求項３】
前記排気口に排気ファンを設けたことを特徴とする請求項１又は請求項２に記載の空調機。
【発明の詳細な説明】
【技術分野】
【０００１】
本発明は、一対の熱交換器を熱媒体循環パイプで接続した空調機に関するものである。
【背景技術】
【０００２】
従来より、空調機は、室内用の熱交換器（室内機）と室外用の熱交換器（室外機）とを熱媒体を循環させるための熱媒体循環パイプで接続した構成となっている（たとえば、特許文献１参照。）。
【０００３】
そして、従来の空調機では、室内用の熱交換器及び室外用の熱交換器をともに所定場所に設置し、室内用の熱交換器が設置された部屋の内部を所定温度に調整するようにしている。
【先行技術文献】
【特許文献】
【０００４】
【特許文献１】特開２０１６−１６１２０７号公報
【発明の概要】
【発明が解決しようとする課題】
【０００５】
上記従来の空調機は、室内用の熱交換器を設置した部屋を全体的に均一の温度に調整する場合には適している。
【０００６】
しかしながら、多大な空間からなる工場などで、作業者が特定の場所でのみ作業している場合や、作業者が作業工程等に応じて場所を移動して作業する場合などにおいては、上記従来の空調機では不向きなものであった。
【課題を解決するための手段】
【０００７】
そこで、請求項１に係る本発明では、一対の熱交換器を熱媒体循環パイプで接続した空調機において、基台に、一方の熱交換器を収容した一定量の空気を貯留する空調室と、他方の熱交換器を載置した載置台とを設けて移動可能とするとともに、空調室に吸気口と排気口とを設けることにした。
【０００８】
また、請求項２に係る本発明では、前記請求項１に係る本発明において、前記吸気口にフィルターを着脱自在に設けることにした。
【０００９】
また、請求項３に係る本発明では、前記請求項１又は請求項２に係る本発明において、前記排気口に排気ファンを設けることにした。
【発明の効果】
【００１０】
そして、本発明では、以下に記載する効果を奏する。
【００１１】
すなわち、本発明では、一対の熱交換器を熱媒体循環パイプで接続した空調機において、基台に、一方の熱交換器を収容した一定量の空気を貯留する空調室と、他方の熱交換器を載置した載置台とを設けて移動可能とするとともに、空調室に吸気口と排気口とを設けることにしているために、多大な空間からなる工場などの一部を局部的に温度調整することができる。
特に、吸気口にフィルターを着脱自在に設けることにした場合には、粉塵などによる空気環境の悪い工場であっても良好に温度調整することができる。
また、排気口に排気ファンを設けた場合には、基台から離れた場所へも調整した空気を強制的に供給することができる。
【図面の簡単な説明】
【００１２】
【図１】本発明に係る空調機を示す斜視図。
【図２】同正面図。
【図３】同背面図。
【図４】同側面断面図。
【発明を実施するための形態】
【００１３】
以下に、本発明に係る空調機の具体的な構成について図面を参照しながら説明する。
【００１４】
図１〜図４に示すように、空調機１は、室内用に適するように構成された熱交換器２と室外用に適するように構成された熱交換器３とを、熱媒体を循環させるための熱媒体循環パイプ４で接続している。
【００１５】
この空調機１は、基台５の前側上部に熱交換器２を収容するための空調室６を形成するとともに、基台５の後側上部に熱交換器３を載置するための載置台７を形成している。
【００１６】
空調室６は、上部に天井８を取付け、下部に床９を取付け、前部に前壁10を取付け、後部に後壁11を取付け、左右側部に左右側壁12,13を取付けて、一定量（一定の体積）の空気を貯留することができる貯留空間を形成している。
【００１７】
この空調室６（貯留空間）は、一定量の空気を貯留する空間であり、熱交換器３とは完全に区画されている。なお、空調室６（貯留空間）は、天井８や床９や前後壁10,11や左右側壁12,13を断熱材で形成するなどして外部の温度の影響を受けない断熱構造とすることが望ましい。
【００１８】
また、空調室６は、熱交換器２を後壁11の内側面上部に交換可能に取付けるとともに、前壁10の上部（熱交換器２と同等高さの位置）に吸気口14を形成し、床９の中央部に排気口15を形成している。
【００１９】
吸気口14には、フィルター16が交換可能に取付けられている。フィルター16は、酸性ガスを捕捉するフィルターや微細塵を捕捉するフィルターなどのように用途に応じて交換することができる。
【００２０】
排気口15には、中空円筒状の可撓性を有する排気ダクト17を着脱自在に取付けている。排気ダクト17の先端部には、排気ファン18が取付けられている。なお、排気ダクト17は、先端部に延長用のダクトやホースを接続することができるようになっている。
【００２１】
空調機１は、以上に説明したように構成しており、吸気口14から空調室６に空気を取り込み、空調室６の内部で熱交換器２によって空気の温度を調整し、その後、空調室６の内部の空気を排気口15から再び排出する。これにより、空調機１は、所定の温度に調整した空気を局部的に供給することができる。
【００２２】
この空調機１では、基台５に一対の熱交換器2,3及び熱媒体循環パイプ４を搭載しているために、基台５ごと移動させて使用することができる。なお、基台５は、下部にキャスターなどを取付けてより一層移動が容易な構造とすることもできる。
【００２３】
また、空調機１では、一定量の空気を貯留する空調室６に熱交換器２を収容しているために、熱交換器２が空調室６に貯留されている空気の温度を調整することになり、熱交換器２で容易に精度良く温度調整することができる。
【００２４】
以上に説明したように、上記空調機１は、基台５に、一方の熱交換器２を収容した一定量の空気を貯留する空調室６と、他方の熱交換器３を載置した載置台７とを設けて移動可能とするとともに、空調室６に吸気口14と排気口15とを設けた構成となっている。
【００２５】
そのため、上記構成の空調機１では、多大な空間からなる工場などの一部を局部的に温度調整することができる。
【００２６】
また、上記空調機１は、吸気口14にフィルター16を着脱自在に設けた構成となっている。
【００２７】
そのため、上記構成の空調機１では、粉塵などによる空気環境の悪い工場であっても良好に温度調整することができる。
【００２８】
また、上記空調機１は、排気口15に排気ファン18を設けた構成となっている。
【００２９】
そのため、上記構成の空調機１では、基台５から離れた場所へも調整した空気を強制的に供給することができる。
【符号の説明】
【００３０】
１  空調機                          ２  熱交換器
３  熱交換器                        ４  熱媒体循環パイプ
５  基台                            ６  空調室
７  載置台                          ８  天井
９  床                              10  前壁
11  後壁                            12,13  側壁
14  吸気口                          15  排気口
16  フィルター                      17  排気ダクト
18  排気ファン
【図１】
2019219092.tif 000003
【図２】
2019219092.tif 000004
【図３】
2019219092.tif 000005
【図４】
2019219092.tif 000006